【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
蒸気吸収冷凍を行う方法であって、
凝縮ステージにおいて、蒸気形態の冷媒を凝縮して凝縮又は液化冷媒を得ることと、
前記液化冷媒を膨張／蒸発ステージに送ることと、
前記膨張／蒸発ステージにおいて、前記冷媒を高温媒体に対する熱伝達にさらすことであって、前記高温媒体から前記冷媒に熱が伝達されて前記高温媒体は所望の冷凍温度まで冷却され、前記冷媒は、前記液化冷媒の少なくとも一部が蒸発することにより蒸発冷媒が得られるように加熱されることと、
前記蒸発冷媒を前記蒸発ステージから吸収ステージに送ることと、
前記吸収ステージにおいて、前記蒸発冷媒の一部を第１圧力で吸収体に吸収させることにより部分的冷媒豊富吸収体及び残留蒸発冷媒を得ることと、
吸入側及び加圧吐出側を有する圧縮機を含む圧縮吸収ステージにおいて、前記部分的冷媒豊富吸収体及び前記残留蒸発冷媒を前記圧縮機の吸入側へ送ることと、前記圧縮機によって、前記第１圧力よりも大きな第２圧力での圧縮下で前記部分的冷媒豊富吸収体及び残留蒸発冷媒を接触させることとにより、前記圧縮機の加圧吐出側から引き出され又は吐出される冷媒豊富吸収体を得ることであって、前記圧縮機が前記部分的冷媒豊富吸収体及び残留蒸発冷媒の圧力増加を完了することにより前記残留蒸発冷媒の前記部分的冷媒豊富吸収体への吸収が完了していることと、
前記冷媒豊富吸収体を前記圧縮吸収ステージから冷媒再生ステージに送ることと、
前記再生ステージにおいて、前記冷媒豊富吸収体から蒸気形態の冷媒を回収することにより、冷媒減損吸収体を得ることと、
回収された蒸発冷媒を前記再生ステージから前記凝縮ステージに再循環させることと、
冷媒減損吸収体を前記再生ステージから前記吸収ステージに再循環させることであって、前記回収された冷媒減損吸収体は前記吸収ステージにおける前記吸収体を構成することと
を含み、
前記吸収ステージは、
予備接触ステージにおいて、蒸発冷媒を前記冷媒減損吸収体と接触させて部分的冷媒飽和吸収体を得ることと、
主要接触ステージにおいて、蒸発冷媒を、前記圧縮吸収ステージにおいて前記圧縮機に送られた前記部分的冷媒飽和吸収体と接触させることと
を含み、
前記予備接触ステージは予備飽和ステージであり、
前記主要接触ステージは予備吸収ステージであり、
前記吸収ステージにおいて前記蒸発冷媒を前記冷媒減損吸収体に吸収せることは、
蒸発冷媒を前記蒸発ステージから前記予備吸収ステージに送ることと、
前記予備吸収ステージにおいて、前記蒸発ステージからの蒸発冷媒を前記予備飽和ステージからの吸収液体に吸収させることによって、前記圧縮吸収ステージにおいて前記圧縮機に送られた前記部分的冷媒豊富吸収体を得ることと、
前記予備吸収ステージから未吸収蒸発冷媒を引き出し、前記再生ステージからの前記冷媒減損吸収体とともに前記予備飽和ステージに送ることであって、前記冷媒減損吸収体は、前記予備飽和ステージにおいて前記未吸収蒸発冷媒と予備接触し及び部分的に飽和されることにより、前記部分的冷媒飽和吸収体が得られ、かつ、前記圧縮吸収ステージにおいて前記圧縮機に送られた前記残留蒸発冷媒も得られることと、
前記部分的冷媒飽和吸収体を前記予備飽和ステージから引き出して前記予備吸収ステージに送り、前記予備吸収ステージにおいて前記吸収液体を構成させることと
を含む方法。
【請求項２】
前記予備飽和ステージ及び前記予備吸収ステージは、前記第１圧力である圧力１．３絶対バールから４．５絶対バールで動作する、請求項１に記載の方法。
【請求項３】
前記予備飽和ステージにおいて前記冷媒減損吸収体を前記未吸収蒸発冷媒と接触させることは、これにより接触した冷媒減損吸収体及び未吸収蒸発冷媒を冷却熱伝達にさらすことを含む、請求項１又は２に記載の方法。
【請求項４】
前記冷媒減損吸収体を前記未吸収蒸発冷媒と接触させること及び前記これにより接触した冷媒減損吸収体及び未吸収蒸発冷媒を冷却熱伝達にさらすことは、未吸収蒸発冷媒の冷媒減損吸収体への物質移動及び冷却熱交換が同時に生じるように同時に有効にされる、請求項３に記載の方法。
【請求項５】
前記圧縮機は液体リングポンプであり、
前記部分的冷媒豊富吸収体及び前記残留蒸発冷媒が前記液体リングポンプの吸入側に送られる一方、前記冷媒豊富吸収体が前記液体リングポンプの加圧吐出側から引き出される、請求項１に記載の方法。
【請求項６】
前記第２圧力は３．５絶対バールから１０絶対バールである、請求項１から５のいずれか一項に記載の方法。
【請求項７】
前記冷媒はアンモニアであり、前記吸収体は水である、請求項１から６のいずれか一項に記載の方法。
【請求項８】
吸収冷凍装置であって、
蒸気形態の冷媒が凝縮されて凝縮又は液化冷媒が得られる凝縮器と、
前記冷媒が高温媒体との熱伝達にさらされて熱形態のエネルギーが前記高温媒体から前記冷媒に輸送され得る膨張器／蒸発器ステージであって、前記凝縮器から前記膨張器／蒸発器ステージに至る凝縮冷媒輸送管により前記高温媒体が所望の冷凍温度まで冷却又は冷凍され及び前記冷媒が蒸発される膨張器／蒸発器ステージと、
吸収ステージであって、前記蒸発器ステージから前記吸収ステージに至る蒸発冷媒輸送管により前記蒸発冷媒が第１圧力で吸収体に吸収されて部分的冷媒豊富吸収体が得られる吸収ステージと、
前記部分的冷媒豊富吸収体が前記第１圧力より大きな第２圧力で未吸収蒸発冷媒と接触して冷媒豊富吸収体が得られる圧縮吸収ステージと、
再生器ステージであって、前記再生器ステージに至る冷媒豊富吸収体輸送管により前記冷媒が前記冷媒豊富吸収体から蒸気形態で回収されることによって冷媒減損吸収体が得られる再生器ステージと、
前記再生器ステージから前記凝縮器に至る回収蒸発冷媒輸送管であって、回収された冷媒が前記再生器から引き出されて前記凝縮器に送られる回収蒸発冷媒輸送管と、
前記再生器から前記吸収ステージ内に至る冷媒減損吸収体輸送管であって、前記再生器から冷媒減損吸収体が引き出されて前記冷媒減損吸収体は前記吸収ステージにおける前記吸収体を構成する冷媒減損吸収体輸送管と
を含み、
前記吸収ステージは、
冷媒減損吸収体が蒸発冷媒と予備接触して部分的冷媒飽和吸収体が得られる予備接触ステージと、
前記部分的冷媒飽和吸収体が蒸発冷媒と接触して部分的冷媒豊富吸収体が得られる主要接触ステージと
を含み、
前記主要接触ステージは予備吸収器であり、
前記予備接触ステージは予備飽和器であり、
前記吸収ステージは前記予備吸収器及び前記予備飽和器を含み、
蒸発冷媒が前記蒸発冷媒輸送管に沿って前記蒸発器から前記予備吸収器に供給され、
前記蒸発冷媒は前記予備吸収器において、前記予備飽和器から前記予備吸収器に至る吸収液体輸送管を介して前記予備飽和器からの吸収液体と接触し及び前記予備飽和器に吸収されて前記部分的冷媒豊富吸収体が得られ、
冷媒減損吸収体が、前記冷媒減損吸収体輸送管に沿って前記再生器から前記予備飽和器に供給され、
前記冷媒減損吸収体は、前記予備吸収器から前記予備飽和器に至る未吸収蒸発冷媒輸送管を介して前記予備吸収ステージからの未吸収蒸発冷媒と接触することにより予備飽和され、
前記予備吸収器における前記吸収液体を構成させるべく、前記冷媒減損吸収体輸送管に沿って前記予備吸収器に送られ得る前記部分的冷媒飽和吸収体が得られ、
前記圧縮吸収ステージは、前記予備吸収器からの前記部分的冷媒豊富吸収体及び前記予備飽和器からの残留蒸発冷媒がそれぞれ前記部分的冷媒豊富吸収体輸送管及び残留蒸発冷媒輸送管に沿って供給され得る吸入側を有する圧縮機を含み、
前記吸入側は、前記部分的冷媒豊富吸収体及び残留蒸発冷媒の圧力を増加することによって前記部分的冷媒豊富吸収体及び残留蒸発冷媒を圧縮下で接触させることが可能であり、その結果、前記残留蒸発冷媒は、前記第１圧力より大きな前記第２圧力で前記部分的冷媒豊富吸収体に吸収されて前記冷媒豊富吸収体が得られ、
前記圧縮機はさらに、前記冷媒豊富吸収体が引き出され得る加圧吐出側を有する装置。
【請求項９】
前記予備飽和器は、前記未吸収蒸発冷媒及び前記冷媒減損吸収体の接触が少なくとも部分的に有効となる予備飽和器フラッシュ容器を含む、請求項８に記載の装置。
【請求項１０】
前記予備飽和器は、冷媒減損吸収体及び未吸収蒸発冷媒が供給される予備飽和器熱交換器を含み、
前記冷媒減損吸収体及び未吸収蒸発冷媒は、前記熱交換器において互いに接触し、
前記予備飽和器熱交換器は、前記未吸収蒸発冷媒の前記冷媒減損吸収体への吸収から生じる吸収熱の除去を目的とする冷却熱伝達を与えることができる、請求項９に記載の装置。
【請求項１１】
前記予備飽和器フラッシュ容器は、予備飽和器熱交換器から下流に設けられる、請求項９又は１０に記載の装置。
【請求項１２】
前記圧縮機は液体リングポンプを含む、請求項８に記載の装置。
【請求項１３】
前記冷媒はアンモニアであり、前記吸収体は水である、請求項８から１２のいずれか一項に記載の装置。